(57)【特許請求の範囲】
【請求項１】
便鉢をもつ洋風便器本体に揺動可能に設けられ、該便鉢上への人の着座を可能にする便座と、該洋風便器本体に揺動可能に設けられ、該便鉢を該便座とともに隠蔽する便蓋と、音データを出力可能な音響装置とを備えた便器用設備において、
前記音響装置は、前記便座及び前記便蓋の少なくとも一方の開閉状態に応じ、前記音データの出力時の音質を変化させる音質変更手段を有することを特徴とする便器用設備。
【請求項２】
使用者を検知可能な人体検知センサと、該人体検知センサの検知信号によって前記便座及び前記便蓋の少なくとも一方を開閉するアクチェータとを備え、前記音質変更手段は該人体検知センサの検知信号によって前記音データの出力時の音質を変化させる請求項１記載の便器用設備。
【請求項３】
前記音質変更手段はリモコンの操作信号によって前記音データの出力時の音質を変化させる請求項１又は２記載の便器用設備。
【請求項４】
便鉢をもつ洋風便器本体に揺動可能に設けられ、該便鉢上への人の着座を可能にする便座と、該洋風便器本体に揺動可能に設けられ、該便鉢を該便座とともに隠蔽する便蓋と、音データを出力可能な音響装置と、該便座及び該便蓋の少なくとも一方を開閉するアクチェータとを備えた便器用設備において、
前記音響装置は、前記音データの出力時の音質に応じて前記アクチェータを駆動して前記便座及び前記便蓋の少なくとも一方を開閉する開閉手段を有することを特徴とする便器用設備。
【発明の詳細な説明】
【技術分野】
【０００１】
本発明は便器用設備に関する。
【背景技術】
【０００２】
従来、特許文献１に示すように、便鉢をもつ洋風便器本体に揺動可能に設けられ、便鉢上への人の着座を可能にする便座と、洋風便器本体に揺動可能に設けられ、便鉢を便座とともに隠蔽する便蓋と、音データを出力可能な音響装置とを備えた便器用設備が知られている。特に、この便器用設備は内部に洋風便器本体の便鉢を洗浄するための洗浄タンクを収納したタンクカバーを備えており、タンクカバーに便座及び便蓋が揺動可能に構成されている。また、タンクカバーには、使用者を検知可能な人体検知センサが設けられているとともに、便座及び便蓋を開閉するアクチュエータも設けられている。
【０００３】
この便器用設備は、洋風便器本体上に固定され、洋風水洗式便器を構成する。この便器用設備は、人体検知センサが人を検知すると、音響装置のスピーカより音楽等の音声を音データに基づいて出力する。また、人体検知センサが人を検知しなくなると、音響装置は音量を徐々に下げる。そのため、この便器用設備によれば、落ち着いた気分で用便を足すことができ、用便時の快適さを維持することができる。
【０００４】
【特許文献１】特開２００３−１７６５５９号公報
【発明の開示】
【発明が解決しようとする課題】
【０００５】
ところで、近年、一人又は夫婦のみで暮らすための住宅が増加しており、このような住宅においては、洋風水洗式便器を閉じられた空間であるトイレ室に設けず、開放感のある空間に設けることが提案されつつある。例えば、寝室に隣接する浴室に洋風水洗式便器を設けた住宅である。ここで、上記従来の便器用設備は、洋風水洗式便器の使用状態が異なっていても、音響装置の設定を変えない限り、一定の音質の音声を出力するため、音質の変化が乏しい。また、この便器用設備は、人体検知センサが人を検知しないと音声を出力しないため、洋風水洗式便器を使用をしない状態においては、音声を出力することができない。このため、開放感のある空間にこのような便器用設備を存在させたとしても、その便器用設備は、音響機器として十分な機能を発揮することができない。
【０００６】
本発明は、上記従来の実情に鑑みてなされたものであって、音響機器として十分な機能を発揮することができる便器用設備を提供することを解決すべき課題としている。
【課題を解決するための手段】
【０００７】
第１発明の便器用設備は、便鉢をもつ洋風便器本体に揺動可能に設けられ、該便鉢上への人の着座を可能にする便座と、該洋風便器本体に揺動可能に設けられ、該便鉢を該便座とともに隠蔽する便蓋と、音データを出力可能な音響装置とを備えた便器用設備において、
前記音響装置は、前記便座及び前記便蓋の少なくとも一方の開閉状態に応じ、前記音データの出力時の音質を変化させる音質変更手段を有することを特徴とする。
【０００８】
本発明の便器用設備では、便蓋のみ開いている場合、便座と便蓋との両方が開いている場合等の便器用設備の使用状態に応じ、音響装置の音質変更手段が音データの出力時の音質を変化させるため、異なった音質の音を出力することができる。
【０００９】
したがって、第１発明の便器用設備によれば、音響機器として十分な機能を発揮することができる。
【００１０】
なお、音データとは、デジタル圧縮の有無を問わず、声音、楽器音、自然音、擬音等の全ての音をデジタル化したデータである。
【００１１】
第１発明の便器用設備は、使用者を検知可能な人体検知センサと、人体検知センサの検知信号によって便座及び便蓋の少なくとも一方を開閉するアクチェータとを備え得る。この場合、音質変更手段は人体検知センサの検知信号によって音データの出力時の音質を変化させることが好ましい。こうであれば、便器用設備の使用状態に応じて自動的に音質が変化し、音響機器としてより十分な機能を発揮することができる。例えば、使用者が便座に着座しておれば、音響装置から出力される音は、便鉢内にこもったり、便蓋により前方への高音域の伝播が抑制される。また、便蓋だけが上方に揺動した状態で使用者が用を足しておれば、音響装置から出力される音は、便蓋で前方への移動が阻止され、低音になり易い。このような場合、この便器用設備は、音響装置から出力される音を高音側に変化させ、使用者は通常の音質でその音を聞くことができる。
【００１２】
また、音質変更手段はリモコンの操作信号によって音データの出力時の音質を変化させることが好ましい。こうであれば、使用者が便器用設備から離れていても、音質を変化させることができる。この際、便座及び便蓋の少なくとも一方をリモコンによって開閉し、それによって音質を変化させることもできる。
【００１３】
第２発明の便器用設備は、便鉢をもつ洋風便器本体に揺動可能に設けられ、該便鉢上への人の着座を可能にする便座と、該洋風便器本体に揺動可能に設けられ、該便鉢を該便座とともに隠蔽する便蓋と、音データを出力可能な音響装置と、該便座及び該便蓋の少なくとも一方を開閉するアクチェータとを備えた便器用設備において、
前記音響装置は、前記音データの出力時の音質に応じて前記アクチェータを駆動して前記便座及び前記便蓋の少なくとも一方を開閉する開閉手段を有することを特徴とする。
【００１４】
第２発明の便器用設備は、音響装置の開閉手段が音データの出力時の音質に応じてアクチェータを駆動し、便座及び便蓋の少なくとも一方を開閉する。このため、例えば、便蓋を揺動させたり、半開きにする等により、より好みの音を出力することができる。
【００１５】
したがって、第２発明の便器用設備によっても、音響機器として十分な機能を発揮することができる。
【発明を実施するための最良の形態】
【００１６】
以下、本発明を具体化した実施例１、２を図面を参照しつつ説明する。
【実施例１】
【００１７】
実施例１の便器用設備は、図１に示すように、寝室に隣接する浴室内に設置された洋風水洗式便器１に設けられている。
【００１８】
洋風水洗式便器１は、便鉢をもつ陶磁器製の洋風便器本体２、便座３、便蓋４及びタンクカバー５を備えている。タンクカバー５は、ロータンク６を内蔵し、水洗装置７を上部に配置している。また、タンクカバー５は、音響装置１０、左右一対のスピーカ１１（Ｌ）、１１（Ｒ）、中央のスピーカ１２及び図示しない便蓋開閉用モータ４ａ、便座開閉用モータ３ａを内臓するとともに、上部表面に人体検知センサ１６を備えている。さらに、浴室の壁面９０には、リモコン１７が取り外し可能に設けられている。また、浴室の入り口には、図示しない入室検知センサ１５が設けられている。ここで、便座３、便蓋４、音響装置１０、スピーカ１１（Ｌ）、１１（Ｒ）、１２、便蓋開閉用モータ４ａ、便座開閉用モータ３ａ、入室検知センサ１５、人体検知センサ１６及びリモコン１７が便器用設備である。また、便蓋開閉用モータ４ａ、便座開閉用モータ３ａがアクチェータである。
【００１９】
次に、この便器用設備の電気的な接続を示すブロック図を図２（Ａ）に示す。音響装置１０には、入室検知センサ１５、人体検知センサ１６及びリモコン１７からの入力信号が入力されるようになっている。また、音響装置１０から、便蓋開閉用モータ４ａ、便座開閉用モータ３ａ及びスピーカ１１（Ｌ）、１１（Ｒ）、１２へ出力信号が出力されるようになっている。音響装置１０は、図２（Ｂ）に示すように、制御部１０１、記憶装置１０２、再生部１０３、音質変更部１０４、音量調節部１０５及びアンプ１０６を備えている。
【００２０】
記憶装置１０２はデジタル圧縮された音データを記憶し、再生部１０３はこの音データをデコードした後、Ｄ／Ａ変換して再生する。この記憶装置１０２としては、ＳＤカード等のメモリーカード、ハードディスク等を採用することができる。ここでは、取り出し可能なＳＤカードを採用している。
【００２１】
そして、音質変更部１０４は再生された音データの音質を変更し、音量調節部１０５は音質が変更された音データの音量を調節する。さらに、アンプ１０６は音量が調節された音データを増幅し、スピーカ１１（Ｌ）、１１（Ｒ）、１２は増幅された音データを音として出力する。また、制御部１０１は記憶装置１０２、再生部１０３、音質変更部１０４及び音量調節部１０５を制御する。なお、図２（Ｂ）においては、入室検知センサ１５、人体検知センサ１６、リモコン１７、便蓋開閉用モータ４ａ、便座開閉用モータ３ａ及びこれらのインターフェイスについては省略している。
【００２２】
以上のように構成された便器用設備の動作を、図３に示すフローチャートにより説明する。まず、便器用設備に電力が供給されると、ステップＳ１が実行される。ステップＳ１においては、入室検知センサ１５により浴室に入室する者がいるかどうかを判断する。浴室に入室する者がいない場合、再度ステップＳ１を実行する。また、入室する者がいる場合、ステップＳ２が実行される。
【００２３】
ステップＳ２においては、記憶装置１０２にデジタル圧縮されて記録されている音データが再生される。すなわち、制御装置１０１により、記憶装置１０２の音データが再生部１０３、音質変更部１０４、音量調節部１０５、アンプ１０６及びスピーカ１１（Ｌ）、１１（Ｒ）、１２を介して音として出力される。ただし、記憶装置１０２の音データは修正されることなく再生される。また、この際、任意に定めた音データを再生することができ、又いくつかの音データの中からランダムに再生するすることもできる。
【００２４】
ステップＳ３においては、人体検知センサ１６により洋風水洗式便器１の使用者がいるかどうかを判断する。洋風水洗式便器１の使用者がいない場合、再度ステップＳ３を実行する。また、使用者がいる場合、ステップＳ４が実行される。
【００２５】
ステップＳ４においては、便蓋開閉用モータ４ａを正転させ、便蓋４を開ける。この際、スピーカ１２から出力される音は、便蓋４により前方への高音域の伝播が抑制される。そのため、高音域を強調するように音データを変化させて出力する。これにより、使用者は通常の音質、すなわち、便座３及び便蓋４が閉じているときと同じような音質でその音を聞くことができる。
【００２６】
ステップＳ５においては、洋風水洗式便器１の使用状況に応じ、音質を変化させる。例えば、使用者が便座３に着座しておれば、音響装置１０から出力される音は、便鉢内にこもったり、便蓋４により前方への高音域の伝播が抑制される。そのため、高音域を強調するように音データを変化させたり、こもり音を減らすための音データの修正処理をして出力する。これにより、使用者は通常の音質、すなわち、便座３及び便蓋４が閉じているときと同じような音質でその音を聞くことができる。ここで、ステップＳ４及びステップＳ５が音質変更手段である。
【００２７】
ステップＳ６においては、人体検知センサ１６により洋風水洗式便器１の使用者がいるかどうかを判断する。洋風水洗式便器１の使用者がいる場合、ステップＳ５に戻る。また、使用者がいない場合、ステップＳ７が実行される。
【００２８】
ステップＳ７においては、便座開閉用モータ３ａ及び便蓋開閉用モータ４ａを逆転させ、便座３及び便蓋４を閉じる。また、音データが修正されることなく再生され、スピーカ１１（Ｌ）、１１（Ｒ）、１２から出力される。
【００２９】
ステップＳ８においては、入室検知センサ１５により、使用者が浴室から退室したかどうかを判断する。浴室から使用者が退室していない場合、再度ステップＳ８を実行する。また、使用者が退室した場合、ステップＳ９が実行される。ステップＳ９においては、音データの再生を停止する。そして、ステップＳ１に戻る。
【００３０】
なお、リモコン１７を持って浴室から退室し、浴室に隣接した寝室において、リモコン１７の操作信号によって音データを再生するとともに、便座３及び便蓋４を開閉することもできる。
【００３１】
実施例１の便器用設備では、ステップＳ４及びステップＳ５において、便座３及び便蓋４の開閉状態に応じ、音データの出力時の音質を変化させているため、洋風水洗式便器１の使用状態に応じ、異なった音質の音を出力することができる。これにより、使用者は通常の音質でその音を聞くことができる。
【００３２】
したがって、実施例１の便器用設備によれば、音響機器として十分な機能を発揮することができる。
【実施例２】
【００３３】
実施例２の便器用設備は、実施例１と同様、浴室内に設置された図１に示す洋風水洗式便器１に設けられている。図１及び図２に示すように、洋風水洗式便器１の構成及び便器用設備の電気的な接続も実施例１と同様である。
【００３４】
次に、実施例２の便器用設備の動作を、図４に示すフローチャートにより説明する。まず、便器用設備に電力が供給されると、ステップＳ２１が実行される。ステップＳ２１においては、リモコン１７の音再生スイッチがＯＮされたか否かをチェックする。音再生スイッチがＯＮされていない場合、再度ステップＳ２１を実行する。また、音再生スイッチがＯＮされている場合、ステップＳ２２が実行される。
【００３５】
ステップＳ２２においては、記憶装置１０２にデジタル圧縮されて記録されている音データが再生される。すなわち、制御装置１０１により、記憶装置１０２の音データが再生部１０３、音質変更部１０４、音量調節部１０５、アンプ１０６及びスピーカ１１（Ｌ）、１１（Ｒ）、１２を介して音として出力される。ただし、記憶装置１０２の音データは修正されることなく再生される。この際、リモコン１７のスイッチにより、記憶装置１０２内の音データを指定して再生することもでき、ランダムに再生することもできる。
【００３６】
ステップＳ２３においては、再生された音データの音質に応じて、便蓋開閉用モータ４ａ、便座開閉用モータ３ａを正転又は逆転させ、便蓋４、便座３の一方、又は両方を開閉させる。この際、図５に示すように、便蓋開閉用モータ４ａの正転、逆転を繰り返し、便蓋４を揺動させることもできる。また、便蓋開閉用モータ４ａ、便座開閉用モータ３ａの回転を途中で停止させ、便蓋４、便座３の一方、又は両方を半開きにすることもできる。さらに、リモコン１７の操作信号によって便座３及び便蓋４を開閉することができる。これにより、個性的で深みのある音質に変化させることができる。このステップＳ２３が開閉手段である。
【００３７】
ステップＳ２４においては、リモコン１７の音再生スイッチがＯＦＦされたか否かをチェックする。音再生スイッチがＯＦＦされていない場合、ステップＳ２３に戻る。また、音再生スイッチが０ＦＦされている場合、ステップＳ２５が実行される。ステップＳ２５においては、音データの再生を停止する。そして、ステップＳ２１に戻る。
【００３８】
実施例２の便器用設備では、再生された音データの音質に応じて、便蓋４、便座３の一方、又は両方を開閉させることができるため、より効果的に音データを出力することができる。また、リモコン１７により音データの出力をコントロールすることができるため、自分の好みに合った音を出力することができる。
【００３９】
したがって、実施例２の便器用設備によっても、音響機器として十分な機能を発揮することができる。また、実施例１及び実施例２の両方の機能を１つの便器用設備に持たすこともできる。なお、実施例１、２の便器用設備は、ロータンク６を備える洋風水洗式便器１に用いられたが、タンクレス便器であっても同様に用いることができる。また、実施例１、２の便器用設備は、洋風便器本体と一体として販売することもでき又既存の洋風便器本体とは別に販売することもできる。
【産業上の利用可能性】
【００４０】
本発明は洋風水洗便器等に利用可能である。
【図面の簡単な説明】
【００４１】
【図１】実施例１、２に係り、洋風水洗式便器の斜視図である。
【図２】実施例１、２に係り、便器用設備のブロック図である。
【図３】実施例１の便器用設備のフローチャートである。
【図４】実施例２の便器用設備のフローチャートである。
【図５】実施例２の便器用設備の洋風水洗式便器の斜視図である。
【符号の説明】
【００４２】
２…洋風便器本体
３…便座
４…便蓋
１０…音響装置
１６…人体検知センサ
３ａ、４ａ…アクチェータ（３ａ…便座開閉用モータ、４ａ…便蓋開閉用モータ）
１７…リモコン
Ｓ４、Ｓ５…音質変更手段
Ｓ２３…開閉手段
【図１】
0004615394.tif 000002
【図２】
0004615394.tif 000003
【図３】
0004615394.tif 000004
【図４】
0004615394.tif 000005
【図５】
0004615394.tif 000006